(57)【要約】【課題】本発明は、省電力モードでの供給電力を削減しつつ復帰時に必要な電力をより一層削減する。【解決手段】画像処理装置１の電源制御部２０は、第１ＰＳＵ３への外部電源電力の供給／供給停止を行う第１リレー５が供給停止状態で、省電力復帰部１２が移動操作されると、該移動操作に応じて発電部１１が発電して復帰信号を第２リレー駆動回路８に出力する。第２リレー駆動回路８が、第２リレー６をＯＮさせて、第２ＰＳＵ４の生成する電源を、ＯＲ回路９、第１リレー駆動回路７及び第１リレーＯＮ維持信号１０へ供給し、ＯＲ回路９が復帰信号を第１リレー駆動信号として第１リレー駆動回路７へ出力する。第１リレー駆動回路７が第１リレー５をオン状態に移行させて、第１リレー５を介して外部電源電力を第１ＰＳＵ３に供給させる。【選択図】          図１
2014115751.tif 000002
【特許請求の範囲】
【請求項１】
外部電源電力から内部電源電力を生成する電源電力供給手段と、
前記電源電力供給手段への前記外部電源電力の供給／供給停止を行う外部電源スイッチ手段と、
移動操作される可動部材と、
前記可動部材の移動操作に応じて発電する発電手段と、
前記発電手段の発電電力を利用して、前記外部電源スイッチ手段を前記外部電源電力の供給停止状態から供給状態に移行させるスイッチ状態制御手段と、
を備えていることを特徴とする電源制御装置。
【請求項２】
前記スイッチ状態制御手段は、
前記発電手段の発電電力を利用して、前記外部電源スイッチ手段を駆動するスイッチ駆動手段と、
前記外部電源スイッチ手段を電力供給状態へ移行させた前記スイッチ駆動手段に、維持信号を出力して該外部電源スイッチ手段の電力供給状態を維持させる給電維持手段と、
前記外部電源電力から第２内部電源電力を生成する第２電源電力供給手段と、
前記第２電源電力供給手段の生成する前記第２内部電源電力の前記スイッチ駆動手段及び前記給電維持手段への供給／供給停止を行う第２外部電源スイッチ手段と、
前記発電手段の発電電力を利用して、前記第２外部電源スイッチを前記第２内部電源電力の供給停止状態から供給状態へ移行させる第２スイッチ駆動手段と、
を備え、
前記スイッチ駆動手段と前記給電維持手段は、
前記第２外部電源スイッチが供給状態のときの前記第２電源電力供給手段からの前記第２内部電源電力と前記外部電源スイッチが供給状態のときの前記電源電力供給手段からの前記内部電源電力が供給されることを特徴とする請求項１記載の電源制御装置。
【請求項３】
前記電源電力供給手段は、
前記外部電源電力から前記内部電源電力を生成する通常電力モードと、該通常電力モード時の該内部電源電力よりも少ない省電源電力を生成する省電力モードと、を備え、
前記電源制御装置は、
前記外部電源スイッチ手段が前記電源電力供給手段への前記外部電源電力の供給停止を行う完全省電力モードと前記省電力モードを選択的に設定するモード設定手段と、
前記モード設定手段によって前記完全省電力モードに設定されると、前記スイッチ状態制御手段に前記電源電力供給手段への前記外部電源電力の供給を停止させ、該モード設定手段によって前記省電力モードが設定されると、前記省電源電力で動作して、該スイッチ状態制御手段に該電源電力供給手段への該外部電源電力の供給を維持させるとともに、該電源電力供給手段を該省電力モードで動作させるモード制御手段と、
前記省電力モード時に前記省電源電力で動作して、前記通常電源モードへの移行を要求する復帰要求を検出する復帰検出手段と、
前記省電源電力で動作して、前記復帰検出手段が復帰要求を検出すると、前記スイッチ状態制御手段に前記電源電力供給手段への前記外部電源電力の供給を維持させるとともに、該電源電力供給手段を前記通常電源電力モードで動作させる復帰制御手段と、
を備えていることを特徴とする請求項１または請求項２記載の電源制御装置。
【請求項４】
前記電源電力供給手段は、
前記外部電源電力から前記内部電源電力を生成する通常電力モードと、該通常電力モード時の該内部電源電力よりも少ない省電源電力を生成する省電力モードと、を備え、
前記電源制御装置は、
電源電力を創出する電力創出手段と、
前記電力創出手段の創出した創出電力を蓄積する電力蓄積手段と、
前記電力蓄積手段からの前記創出電力の電圧値を検出する電圧検出手段と、
前記電圧検出手段の検出する電圧値が所定のモード切替電圧を下回ると、前記スイッチ状態制御手段に前記電源電力供給手段への前記外部電源電力の供給を停止させ、該電圧検出手段の検出する電圧値が該モード切替電圧以上であると、前記省電源電力または前記電力蓄積手段からの前記創出電力を動作電源電力として動作して、該スイッチ状態制御手段に該電源電力供給手段への該外部電源電力の供給を維持させるとともに、該電源電力供給手段を前記省電力モードで動作させるモード制御手段と、
前記電力蓄積手段からの前記創出電力を動作電源電力として動作して、前記通常電源モードへの移行を要求する復帰要求を検出する復帰検出手段と、
前記省電源電力または前記創出電力を動作電源電力として動作して、前記復帰検出手段が復帰要求を検出すると、前記スイッチ状態制御手段に前記外部電源電力の前記電源電力供給手段への供給を維持させるとともに、該電源電力供給手段を前記通常電源電力モードで動作させる復帰制御手段と、
を備えていることを特徴とする請求項１または請求項２記載の電源制御装置。
【請求項５】
前記電源制御装置は、
電池電源電力を供給する電池手段と、
前記電力蓄積手段と前記電池手段とを選択的に切り替えて前記動作電源電力として出力する切替手段と、
を備え、
前記電圧検出手段は、
検出する前記創出電力の電圧値が所定の切替電圧を下回ると、前記切替手段に前記電力蓄積手段から前記電池手段へ切り替えさせることを特徴とする請求項４記載の電源制御装置。
【請求項６】
前記発電手段は、
前記可動部材の移動に応じて相対移動するコイルと強誘電体を備え、該可動部材の移動に伴って該コイルに誘導起電力を発生させることを特徴とする請求項１から請求項５のいずれかに記載の電源制御装置。
【請求項７】
外部電源電力を電源制御部で制御した内部電源電力を利用して画像処理を行う画像処理装置であって、
前記電源制御部として、請求項１から請求項５のいずれかに記載の電源制御装置を搭載していることを特徴とする画像処理装置。
【請求項８】
前記電源制御部の前記可動部材は、
原稿台上への原稿のセットに伴って開閉移動される圧板であることを特徴とする請求項７記載の画像処理装置。
【請求項９】
外部電源電力から内部電源電力を生成する電源電力供給処理ステップと、
前記電源電力供給処理ステップへの前記外部電源電力の供給／供給停止を行う外部電源スイッチ処理ステップと、
移動操作される可動部材の該移動操作に応じて発電する発電処理ステップと、
前記発電処理ステップでの発電電力を利用して、前記外部電源スイッチ処理ステップを前記外部電源電力の供給停止状態から供給状態に移行させるスイッチ状態制御処理ステップと、
を有していることを特徴とする電源制御方法。
【発明の詳細な説明】
【技術分野】
【０００１】
本発明は、電源制御装置、画像処理装置及び電源制御方法に関し、詳細には、省電力モードでの供給電力を削減しつつ復帰時に必要な電力をより一層削減する電源制御装置、画像処理装置及び電源制御方法に関する。
【背景技術】
【０００２】
複写装置、ファクシミリ装置、プリンタ装置、複合装置、コンピュータ等の画像処理装置においては、従来から、環境保全の目的から、省電力化が重要な課題となっている。ユザー側にとっても、使用してないときの機器のエネルギー消費は経済的にも無駄である。
【０００３】
そこで、画像処理装置においても、省電力モードを備えたものが従来から出現しており、画像処理動作時以外の待機状態が、所定時間連続すると、省電力モードに移行して、必要最小限のユニットについてのみ電力を供給することで、消費電力を削減させている。
【０００４】
そして、従来、原稿押え部材の開閉により発電を行う発電装置を有し、前記発電より得られた電力で電気回路を起動させる画像形成装置が提案されている（特許文献１参照）。
【０００５】
すなわち、この従来技術は、原稿押え部材の開閉により発電された電力で電気回路を起動させることで、消費電力の削減を図っている。
【発明の概要】
【発明が解決しようとする課題】
【０００６】
しかしながら、上記従来技術にあっては、原稿押え部材の開閉により発電電力で電気回路を起動させることはできるが、省電力モードにおける消費電力を、０Ｗにすることはできず、省電力モードにおける消費電力をより一層削減する上で、改良の必要があった。すなわち、従来技術の省電力モードでは、画像処理装置の一部に電源電力が供給されている必要があり、省電力中においても電力を消費してしまうという問題があった。
【０００７】
そこで、本発明は、省電力モードでの供給電力を削減しつつ復帰時に必要な電力をより一層削減することを目的としている。
【課題を解決するための手段】
【０００８】
上記目的を達成するために、請求項１記載の電源制御装置は、外部電源電力から内部電源電力を生成する電源電力供給手段と、前記電源電力供給手段への前記外部電源電力の供給／供給停止を行う外部電源スイッチ手段と、移動操作される可動部材と、前記可動部材の移動操作に応じて発電する発電手段と、前記発電手段の発電電力を利用して、前記外部電源スイッチ手段を前記外部電源電力の供給停止状態から供給状態に移行させるスイッチ状態制御手段と、を備えていることを特徴としている。
【発明の効果】
【０００９】
本発明によれば、省電力モードでの供給電力を削減しつつ復帰時に必要な電力をより一層削減することができる。
【図面の簡単な説明】
【００１０】
【図１】本発明の第１実施例を適用した画像処理装置の要部回路構成図。
【図２】発電部の概略構成図。
【図３】画像処理装置の各部の信号タイミングを示す図。
【図４】第２実施例の画像処理装置の要部回路構成図。
【図５】第３実施例の画像処理装置の要部回路構成図。
【図６】第４実施例の画像処理装置の要部回路構成図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図３は、本発明の電源制御装置、画像処理装置及び電源制御方法の第１実施例を示す図であり、図１は、本発明の電源制御装置、画像処理装置及び電源制御方法の第１実施例を適用した画像処理装置１の要部回路構成図である。
【００１３】
図１において、画像処理装置１は、電装ユニット２、第１ＰＳＵ（Power Supply Unit ：電源供給部）３、第２ＰＳＵ４、第１リレー５、第２リレー６、第１リレー駆動回路７、第２リレー駆動回路８、ＯＲ回路９、第１リレーＯＮ維持回路１０、発電部１１、省電力復帰部１２及び電源プラグ１３等の電源制御部２０を備えている。なお、画像処理装置１は、上記電源制御部２０の他に、図示しないが、画像処理装置として必要な各部、例えば、スキャナ部、プリンタ部、操作表示部等を備えている。スキャナ部は、原稿がセットされるコンタクトガラス、コンタクトガラス上面を覆って原稿をコンタクトガラス上面に押し付ける閉状態と原稿のセット及び取り出しを可能な開状態とに開閉される圧板及びコンタクトガラス上の原稿を主走査及び副走査して原稿の画像を読み取る読取部等を備えている。
【００１４】
電源プラグ１３は、商用１００ＶのＡＣ電源電力（以下、適宜、外部電源電力という。）を供給する図示しないコンセントに差し込まれ、該ＡＣ１００Ｖの外部電源電力を、第１リレー５と第２ＰＳＵ４に供給する。
【００１５】
第１リレー（外部電源スイッチ手段）５は、電源プラグ１３と第１ＰＳＵ３との間に挿入されており、通常は、ＯＦＦ状態で、第１リレー駆動回路７によってＯＮ駆動されると、ＯＮ状態へ遷移して、電源プラグ１３からの外部電源電力を第１ＰＳＵ３に供給する。第１リレー５は、第１リレー駆動回路７によってＯＮ駆動されている間のみＯＮ状態を維持する。
【００１６】
第１ＰＳＵ（電源電力供給手段）３は、第１リレー５を介して供給される外部電源電力から画像処理装置１が必要とする各種電圧値、電流値の内部電源電力を生成して、電装ユニット２、ＯＲ回路９、第１リレー駆動回路７及び第１リレーＯＮ維持回路１０に供給する。
【００１７】
電装ユニット２は、画像処理装置１の電源電力を必要とする各部を総称したものであり、コントローラ、各種センサ、アクチュエータ等を総称したものである。
【００１８】
画像処理装置１は、その電装ユニット２のコントローラの制御下で、所定の待ち時間が経過すると、画像処理装置１の全部分への電源電力の供給を停止する完全省電力モードを備えている。
【００１９】
電装ユニット２は、完全省電力モードへ移行すると、ＯＦＦ信号を第１ＰＳＵ３及び第１リレーＯＮ維持回路１０へ出力する。
【００２０】
第１ＰＳＵ３は、電装ユニット２からＯＦＦ信号が入力されると、外部電源電力から内部電源電力の生成を停止し、電装ユニット２等への内部電源電力の供給を停止する。第１ＰＳＵ３は、遅延回路を内蔵しており、電装ユニット２からＯＦＦ信号が入力されてから、遅延回路で遅延される遅延期間が経過した後、外部電源電力からの内部電源電力への生成を停止する。
【００２１】
第１リレーＯＮ維持回路（給電維持手段）１０は、第１ＰＳＵ３及び第２リレー６を介して第２ＰＳＵ４から電源電力（動作電源電力）が供給され、該電源電力が供給されると、電装ユニット２からＯＦＦ信号が入力されていないことを条件に、第１リレーＯＮ維持信号をＯＲ回路９に出力する。
【００２２】
第２ＰＳＵ（第２電源電力供給手段）４は、電源プラグ１３から直接外部電源電力が供給され、該外部電源電力から少なくとも第１リレー駆動回路７、ＯＲ回路９及び第１リレーＯＮ維持回路１０が動作するのに必要な小電源電力である第２内部電源電力のみを生成して、第２リレー６へ供給する。
【００２３】
第２リレー（第２外部電源スイッチ手段）６は、第２ＰＳＵ４と第１リレー駆動回路７、ＯＲ回路９及び第１リレーＯＮ維持回路１０との間に接続され、ＯＮ状態になると、第２ＰＳＵ４の生成する第２内部電源電力を生成して、これら第１リレー駆動回路７、ＯＲ回路９及び第１リレーＯＮ維持回路１０に供給する。
【００２４】
第２リレー駆動回路（第２スイッチ駆動手段）８は、発電部１１と第２リレー６との間に接続され、発電部１１から所定電圧の復帰信号が入力されると、復帰信号が入力されている間だけ、第２リレー６をＯＮ状態とする。
【００２５】
発電部（発電手段）１１及び省電力復帰部１２は、図２に示すように、発電部１１が、コイル１１ａ、強誘電体で作成されているアーム１１ｂ、ブリッジ整流回路１１ｃ及びコンデンサ１１ｄ等を備えている。
【００２６】
アーム１１ｂは、省電力復帰部（可動部材）１２である圧板（上記スキャナ部の圧板）に連結されており、省電力復帰部１２である圧板は、画像処理装置１のスキャナのコンタクトガラス上面を開閉可能に画像処理装置１の本体筐体に取り付けられている。省電力復帰部１２である圧板は、ユーザによってコンタクトガラス上を開くように回動され、コンタクトガラス上への原稿のセットが行なわれると、コンタクトガラス上を閉じるように回動される。また、省電力復帰部１２である圧板は、ユーザによってコンタクトガラス上を開くように回動されて、コンタクトガラス上にセットされている原稿が取り除かれ、原稿が取り除かれると、次の原稿がセットされて、あるいは、原稿がセットされることなく、コンタクトガラス上を閉じるように回動される。
【００２７】
省電力復帰部１２が開閉操作されると、省電力復帰部１２に連結されているアーム（強強誘電体）１１ｂが、コイル１１ａ内を移動する。
【００２８】
コイル１１ａは、強誘電体で作られているアーム１１ｂが移動すると、移動することによる磁界の変化を打ち消す方向に磁界を発生させるように、誘導電力が発生する。
【００２９】
発電部１１は、コイル１１ａに発生した誘導電力をブリッジ整流回路１１ｃ及びコンデンサ１１ｄによって整流して、コンデンサ１１ｄの容量で決定される時定数の時間だけ、復帰信号として第２リレー駆動回路８及びＯＲ回路９へ出力する。
【００３０】
ＯＲ回路９には、発電部１１からの復帰信号と第１リレーＯＮ維持回路１０からの第１リレーＯＮ維持信号が入力され、第１ＰＳＵ３と第２リレー６を介して第２ＰＳＵ４から電源電力が供給される。ＯＲ回路９は、発電部１１からの復帰信号と第１リレーＯＮ維持回路１０からの第１リレーＯＮ維持信号のうち、少なくともいずれかの信号が入力されていると、第１リレー駆動信号を第１リレー駆動回路７へ出力する。
【００３１】
第１リレー駆動回路（スイッチ駆動手段）７は、第１ＰＳＵ３と第２リレー６を介した第２ＰＳＵ４から電源電力が供給され、ＯＲ回路９から第１リレー駆動信号が入力されている間だけ、第１リレーＯＮ信号を第１リレー５に出力して、第１リレー５をＯＮ状態にする。第１リレー５は、上述のように、ＯＮしている間だけ、電源プラグ１３からの外部電源電力を第１ＰＳＵ３へ供給する。
【００３２】
第２リレー駆動回路（第２スイッチ駆動手段）８は、上述のように、発電部１１から復帰信号が入力されている間だけ、第２リレーＯＮ信号を第２リレー６に出力して、第２リレー６をＯＮ状態にする。第２リレー６は、ＯＮしている間だけ、第２ＰＳＵ４からの第２内部電源電力を、第１リレー駆動回路７、ＯＲ回路９及び第１リレーＯＮ維持回路１０へ供給する。
【００３３】
そして、上記第２ＰＳＵ４、第１リレー５、第２リレー６、第１リレー駆動回路７、第２リレー駆動回路８、ＯＲ回路９及び第１リレーＯＮ維持回路１０は、全体として、発電手段としての発電部１１の発電電力を利用して、外部電源スイッチ手段としての第１リレー５を外部電源電力のＯＦＦ状態（供給停止状態）からＯＮ状態（供給状態）に移行させるスイッチ状態制御部（スイッチ状態制御手段）２１として機能している。
【００３４】
次に、本実施例の作用について説明する。本実施例の画像処理装置１は、省電力モードでの供給電力を削減しつつ復帰時に必要な電力をより一層削減する。
【００３５】
画像処理装置１は、動作を行っていない通常モードである待機状態が予め設定されている所定時間経過すると、電装ユニット２が、第１ＰＳＵ３及び第１リレーＯＮ維持回路１０へＯＦＦ信号を出力する。
【００３６】
第１ＰＳＵ３は、電装ユニット２からＯＦＦ信号が入力されてから、遅延回路で遅延される遅延期間が経過した後、外部電源電力からの内部電源電力への生成を停止する。
【００３７】
第１リレーＯＮ維持回路１０は、ＯＦＦ信号が入力されると、第１リレーＯＮ維持信号のＯＲ回路９への出力を停止し、ＯＲ回路９は、待機状態では、省電力復帰部１２である圧板が操作されていないため、第１リレー駆動信号の第１リレー駆動回路７への出力を停止する。
【００３８】
第１リレー駆動回路７は、第１リレー駆動信号の入力が停止されると、第１リレー５への第１リレーＯＮ信号の出力を停止する。
【００３９】
第１リレー５は、第１リレー駆動回路７からの第１リレーＯＮ信号の入力が停止されると、ＯＦＦして、外部電源電力の第１ＰＳＵ３への供給を停止する。
【００４０】
すなわち、電源制御部２０は、電装ユニット２からＯＦＦ信号が出力されると、第１ＰＳＵ３が内部電源の生成を停止するのを待っている遅延期間の間に、第１リレー５をＯＦＦにして、外部電源電力の第１ＰＳＵ３への供給を停止して、省電力モード（完全省電力モード）へ移行する。
【００４１】
この省電力モードは、図３に最も左側に示す状態であり、第２ＰＳＵ４のみが、第２内部電源電力を第２リレー６へ出力している状態である。ところが、第２リレー６は、オフ状態であり、第２ＰＳＵ４からの内部電源電力のＯＲ回路９、第１リレー駆動回路７及び第１リレーＯＮ維持回路１０への供給を停止している。
【００４２】
したがって、画像処理装置１は、省電力モードにおいては、内部で現電力の消費が、０[Ｗ]、すなわち、全く電力を消費しない状態であり、省電力モードにおける消費電力を大幅に削減することができる。
【００４３】
この省電力モードにおいて、ユーザが省電力復帰部１２である圧板を開閉すると、図３に示すように、発電部１１が復帰信号を第２リレー駆動回路８及びＯＲ回路９へ出力する。
【００４４】
第２リレー駆動回路８は、図３に矢印で示すように、復帰信号が入力されると、第２リレーＯＮ信号を第２リレー６へ出力し、第２リレー６がオンして、第２ＰＳＵ４からの内部電源電力を、ＯＲ回路９、第１リレー駆動回路７及び第１リレーＯＮ維持回路１０へ供給する。
【００４５】
ＯＲ回路９は、第２ＰＳＵ４から第２内部電源電力が供給されると、発電部１１からの復帰信号を第１リレー駆動信号として第１リレー駆動回路７に出力する。
【００４６】
第１リレー駆動回路７は、第２リレー６を介して第２ＰＳＵ４から内部電源電力が供給されているため、図３に矢印で示すように、第１リレー駆動信号が入力されると、第１リレーＯＮ信号を第１リレー５へ出力する。
【００４７】
第１リレー５は、第１リレーＯＮ信号が入力されると、図３に矢印で示すように、オンして、外部電源電力を第１ＰＳＵ３へ供給する。
【００４８】
第１ＰＳＵ３は、外部電源電力が供給されると、内部電源電力を生成して、電源ユニット２及びＯＲ回路９、第１リレー駆動回路７、第１リレーＯＮ維持回路１０へ供給する。
【００４９】
電源ユニット２は、内部電源電力が供給されると、初期起動処理を行なって画像処理装置１を通常状態へ復帰させ、第１ＰＳＵ３及び第１リレーＯＮ維持回路１０へのＯＦＦ信号の出力を停止する。
【００５０】
第１リレーＯＮ維持回路１０は、ＯＦＦ信号が停止されると、第１リレーＯＮ維持信号をＯＲ回路９へ出力し、ＯＲ回路９は、第１リレーＯＮ信号が入力されている間、第１リレー駆動信号を第１リレー駆動回路７へ出力する。
【００５１】
第１リレー駆動回路７は、第１リレー駆動信号が入力されている間、第１リレーＯＮ信号を第１リレー５へ出力し、第１リレー５がＯＮ状態を維持して、第１ＰＳＵ３は、外部電源電力から内部電源電力を生成して、上記各部への内部電源電力の供給を継続する。
【００５２】
その後、画像処理装置１は、待機状態が所定時間経過すると、図３に矢印で示すように、電装ユニット２がＯＦＦ信号を第１ＰＳＵ３及び第１リレーＯＮ維持回路１０へ出力し、上述のように、第１ＰＳＵ３が内部電源の供給を停止するまでの遅延時間の間に、第１リレー５をオフさせて、消費電力が０[Ｗ]の完全省電力モードへ移行する。
【００５３】
このように、本実施例の画像処理装置１は、その電源制御部２０が、外部電源電力から内部電源電力を生成する第１ＰＳＵ（電源電力供給手段）３と、該第１ＰＳＵ３への該外部電源電力の供給／供給停止を行う第１リレー（外部電源スイッチ手段）５と、移動操作される省電力復帰部（可動部材）１２と、該省電力復帰部１２の移動操作に応じて発電する発電部（発電手段）１１と、発電部１１の発電電力を利用して、第１リレー５を外部電源電力のＯＦＦ状態（供給停止状態）からＯＮ状態（供給状態）に移行させるスイッチ状態制御部（スイッチ状態制御手段）２１と、を備えている。
【００５４】
したがって、省電力モード時に、第１ＰＳＵ３への外部電源電力の供給を停止するとともに、ユーザの操作に基づく発電電力で確実に省電力モードからの通常電力モードに復帰をして消費電力０[Ｗ]の完全省電力モードを実現することができる。その結果、省電力モードでの供給電力を削減しつつ復帰時に必要な電力をより一層削減することができる。
【００５５】
また、本実施例の画像処理装置１は、スイッチ状態制御２１が、発電部１１の発電電力を利用して、第１リレー５を駆動する第１リレー駆動回路（スイッチ駆動手段）７と、第１リレー５をＯＮ状態（電力供給状態）へ移行させた第１リレー駆動回路７に、第１リレーＯＮ維持信号（維持信号）を出力して該第１リレー５のＯＮ状態（電力供給状態）を維持させる第１リレーＯＮ維持回路（給電維持手段）１０と、外部電源電力から電源電力（第２内部電源電力）を生成する第２ＰＳＵ（第２内部電源電力供給手段）４と、第２ＰＳＵ４の生成する電源電力の第１リレー駆動回路７及び第１リレーＯＮ維持回路１０へのＯＮ／ＯＦＦ（供給／供給停止）を行う第２リレー（第２外部電源スイッチ手段）６と、発電部１１の発電電力を利用して、第２リレー６を電源電力のＯＦＦ状態（供給停止状態）からＯＮ状態（供給状態）へ移行させる第２リレー駆動回路（第２スイッチ駆動手段）８と、を備え、第１リレー駆動回路７と第１リレーＯＮ維持回路１０が、第２リレー６がＯＮ状態（供給状態）のときの第２ＰＳＵ４からの電源電力（第２内部電源電力）と第１リレー５がＯＮ状態（供給状態）のときの第１ＰＳＵ３からの内部電源電力が供給されている。
【００５６】
したがって、簡単な回路構成で、省電力モード時に、第１ＰＳＵ３への外部電源電力の供給を停止するとともに、ユーザの操作に基づく発電電力で確実に省電力モードからの通常電力モードに復帰をして消費電力０[Ｗ]の省電力モードを確実に実現することができる。その結果、省電力モードでの供給電力を削減しつつ復帰時に必要な電力を安価かつより一層削減することができる。
【実施例２】
【００５７】
図４は、本発明の電源制御装置、画像処理装置及び電源制御方法の第２実施例を適用した画像処理装置３０の要部回路構成図である。
【００５８】
なお、本実施例は、上記第１実施例の画像処理装置１と同様の画像処理装置に適用したものであり、本実施例の説明においては、第１実施例の画像処理装置１と同様の構成部分には、同一の符号を付して、その説明を省略または簡略化する。
【００５９】
図４において、画像処理装置３０は、電装ユニット３１、第１ＰＳＵ３２、復帰スイッチ３３及びモード設定スイッチ３４を備えているとともに、上記第２ＰＳＵ４、第１リレー５、第２リレー６、第１リレー駆動回路７、第２リレー駆動回路８、ＯＲ回路９、第１リレーＯＮ維持回路１０、発電部１１、省電力復帰部１２及び電源プラグ１３等を備えている。
【００６０】
モード設定スイッチ（モード設定手段）３４は、省電力モードを、消費電力が０[Ｗ]の完全省電力モードと、復帰スイッチ３３による復帰操作を検出して通常モードへ復帰する簡易省電力モードと、を切り替えるスイッチである。
【００６１】
復帰スイッチ（復帰検出手段）３３は、簡易省電力モード状態において、第１ＰＳＵ３２からその動作に必要な動作電源電力が供給され、ユーザによって操作されることでＯＮして、復帰信号を電装ユニット３１へ出力するスイッチ、センサ等である。すなわち、復帰スイッチ３３は、省電力モード時に後述する省電源電力で動作して、通常電源モードへの移行を要求する復帰要求を検出する。
【００６２】
電装ユニット３１は、モード切替・復帰検出回路３１ａを備えている。モード切替・復帰検出回路（モード制御手段、復帰制御手段）３１ａは、モード設定スイッチ３４によって上記完全省電力モードと簡易省電力モードのいずれかを指定するモード信号が入力される。モード切替・復帰検出回路３１ａは、モード信号が完全省電力モードであると、第１リレーＯＮ維持回路１０の動作制御を上記第１実施例と同様に行い、モード信号が簡易省電力モードであると、電源電力モードが省電力モードに移行しても、ＯＦＦ信号を第１ＰＳＵ３２及び第１リレーＯＮ維持回路１０へは出力しない。すなわち、画像処理装置３０は、簡易省電力モードでは、第１リレー５を常時ＯＮの状態として、外部電源電力を第１ＰＳＵ３２に供給する。
【００６３】
また、モード切替・復帰検出回路３１ａは、モード信号が簡易省電力モードであるときには、簡易省電力モード信号を第１ＰＳＵ３２に出力する。
【００６４】
第１ＰＳＵ（電源電力供給手段）３２は、モード切替・復帰検出回路３１ａから簡易省電力モード信号が入力されると、省電力モードへ移行しても、第１リレー５を介して供給される外部電源電力から復帰スイッチ３３と電装ユニット３１の復帰検出回路３１及び簡易省電力モードから通常モードへ速やかに復帰するのに必要な回路へのみ内部電源電力（省電源電力）を生成して供給する。
【００６５】
すなわち、本実施例の画像処理装置３０は、第１実施例と同様のスイッチ状態制御部２１を備えているとともに、電源電力供給手段としての第１ＰＳＵ３２、外部電源スイッチ手段としての第１リレー５、可動部材としての省電力復帰部１２、発電手段としての発電部１１、スイッチ状態制御部２１、モード設定スイッチ３４、復帰スイッチ３３、モード切替・復帰検出回路３１ａを有する電源制御部（電源制御装置）３５を備えている。
【００６６】
したがって、本実施例の画像処理装置３０は、モード設定スイッチ３４によって完全省電力モードに設定されると、第１実施例の画像処理装置１と同様の少電力制御処理を行う。そして、画像処理装置３０は、モード設定スイッチ３４によって簡易省電力モードに設定されると、簡易省電力モードに移行しても、第１リレー５をＯＮ状態として、第１ＰＳＵに外部電源電力を供給する。第１ＰＳＵ３２は、モード切替・復帰検出回路３１ａから簡易省電力モード信号が入力されると、復帰スイッチ３３による簡易省電力モードから通常電力モードへの復帰に必要な各部へのみ供給するのに必要な内部電源電力（省電源電力）を外部電源電力から生成して供給する。そして、画像処理装置３０は、簡易省電力モードにおいて、第１ＰＳＵ３２から省電源電力の供給されている復帰スイッチ３３が操作されると、同様に省電源電力の供給されているモード切替・復帰検出回路３１ａが該復帰スイッチ３３の操作を検出する。モード切替・復帰検出回路３１ａは、復帰スイッチ３３の操作を検出すると、簡易省電力モード信号の第１ＰＳＵ３２への出力を停止する。第１ＰＳＵ３２は、簡易省電力モード信号の入力が停止されると、第１リレー５を介して供給されている外部電源電力から通常モードで必要とする内部電源電力を生成して、電装ユニット３１へ供給し、通常モードへ復帰する。
【００６７】
このように、本実施例の画像処理装置３０は、第１ＰＳＵ３２が、外部電源電力から内部電源電力を生成する通常電力モードと、該通常電力モード時の該内部電源電力よりも少ない省電源電力を生成する簡易省電力モード（省電力モード）と、を備え、前記電源制御部３５が、第１リレー５が第１ＰＳＵ３２への外部電源電力のＯＦＦ（供給停止）を行う完全省電力モードと前記簡易省電力モードを選択的に設定するモード設定スイッチ（モード設定手段）３４と、モード設定スイッチ３４によって完全省電力モードに設定されると、スイッチ状態制御部２１に第１ＰＳＵ３２への外部電源電力の供給を停止させ、モード設定スイッチ３４によって簡易省電力モードが設定されると、前記省電源電力で動作し、スイッチ状態制御部２１に第１ＰＳＵ３２への外部電源電力の供給を維持させるとともに、第１ＰＳＵ３２を簡易省電力モードで動作させるモード切替・復帰検出回路（モード切替回路モード制御手段）３１ａと、簡易省電力モード時に省内部電源電力（省電源電力）で動作して、通常電源モードへの移行を要求する復帰要求を検出する復帰スイッチ（復帰検出手段）３３と、省内部電源電力で動作して、復帰スイッチ３３が復帰要求を検出すると、スイッチ状態制御部２１に第１ＰＳＵ３２への外部電源電力の供給を維持（ＯＮ状態を維持）させるとともに、該第１ＰＳＵ３２を前記通常電源電力モードで動作させるモード切替・復帰検出回路（復帰制御手段）３１ａと、を備えている。
【００６８】
したがって、ユーザの選択に応じて、完全に消費電力が０[Ｗ]の完全省電力モードと、消費電力を削減しつつ省電力復帰部１２以外の復帰要因による速やかに通常電力モードへ復帰する簡易省電力モードとを実現することができる。その結果、利用性を向上させつつ、省電力モードでの供給電力の削減と復帰時に必要な電力のより一層の削減を図ることができる。
【実施例３】
【００６９】
図５は、本発明の電源制御装置、画像処理装置及び電源制御方法の第３実施例を適用した画像処理装置４０の要部回路構成図である。
【００７０】
なお、本実施例は、上記第１実施例の画像処理装置１と同様の画像処理装置に適用したものであり、本実施例の説明においては、第１実施例の画像処理装置１と同様の構成部分には、同一の符号を付して、その説明を省略または簡略化する。
【００７１】
図５において、画像処理装置４０は、電装ユニット４１、第１ＰＳＵ４２、創電部４３、蓄電部４４、電池部４５、切替回路４６、給電回路４７、電圧検出部４８及び復帰スイッチ４９ａ、４９ｂを備えているとともに、上記第２ＰＳＵ４、第１リレー５、第２リレー６、第１リレー駆動回路７、第２リレー駆動回路８、ＯＲ回路９、第１リレーＯＮ維持回路１０、発電部１１、省電力復帰部１２及び電源プラグ１３等を備えている。
【００７２】
電装ユニット４１は、画像処理装置４０の省電力モードを制御するとともに、復帰スイッチ４９ａ、４９ｂのスイッチ操作を検出するモード切替・復帰検出回路（モード制御手段、復帰制御手段）４１ａを備えており、モード切替・復帰検出回路４１ａは、給電回路４７から必要な電源電力が供給される。
【００７３】
第１ＰＳＵ（電源電力供給手段）４２は、外部電源電力から内部電源電力を生成する通常電力モードと、該通常電力モード時の該内部電源電力よりも少ない省電源電力を生成する省電力モードと、を備えている。
【００７４】
創電部（電力創出手段）４３は、太陽電池等であり、外部電源電力を使用することなく電力を創りだして、蓄電部４４へ出力する。
【００７５】
蓄電部（電力蓄積手段）４４は、所定容量の蓄電コンデンサ等が用いられ、創電部４３の創電した創出電力を蓄電して、切替回路４６へ出力する。電池部（電池手段）４５は、蓄電池等が用いられ、電池電源電力を切替回路４６へ出力する。
【００７６】
切替回路（切替手段）４６は、蓄電部４４からの創出電力と電池部４５からの電池電源電力のうち、いずれか一方を選択して給電回路４７へ出力する。
【００７７】
給電回路４７は、切替回路４６から供給される電源電力に必要な電力調整処理を施して、モード切替・復帰検出回路４１ａ、電圧検出部４８及び復帰スイッチ４９ａ、４９ｂ等に供給する。
【００７８】
電圧検出部（電圧検出手段）４８は、給電回路４７の供給する電源電力の電圧を検出し、切替回路４６の電源電力の切替動作を行わせるとともに、電装ユニット４１に検出電圧を出力する。すなわち、電圧検出部４８は、通常は、蓄電部４４の出力電力を給電回路４７への出力電力として選択させ、検出電圧、すなわち、蓄電部４４からの出力電力の電圧が所定の切替電圧を下回ると、電池部４５の出力電力を給電回路４７への出力電力として選択させる。
【００７９】
電装ユニット４１は、省電力モードとして、消費電力が０[Ｗ]の完全省電力モードと、復帰スイッチ４９ａ、４９ｂによる復帰操作を検出して通常モードへ復帰する簡易省電力モードとを備えている。電装ユニット４１は、復帰検出回路（モード制御手段、復帰制御手段）４１ａが、電圧検出部４８からの検出電圧に基づいて、省電力モードを決定して、簡易省電力モードでは、第１ＰＳＵ４２に、簡易省電力モード信号を出力し、完全省電力モードでは、ＯＦＦ信号を第１ＰＳＵ４２及び第１リレーＯＮ維持回路１０へ出力する。
【００８０】
すなわち、モード切替・復帰検出回路４１ａは、簡易省電力モードにおいて、切替回路４６が切替動作を行なったにもかかわらず、給電回路４７からの蓄電部４４及び電池部４５の双方の電源電力が、簡易省電力モードを維持するのには不十分な電力量を示すモード切替電圧まで、電圧検出部４８からの検出電圧値が低下すると、簡易省電力モードから完全省電力モードへ切り替える。なお、電圧検出部４８が切替回路４６の給電回路４７への電源電力の供給元を蓄電部４４から電池部４５へ切り替える切替電圧は、モード切替電圧よりも高い電圧値である。
【００８１】
そして、第１ＰＳＵ４２は、電装ユニット４１のモード切替・復帰検出回路４１ａから簡易省電力モード信号が入力されると、簡易省電力モードで動作して、外部電源電力から通常の内部電源電力よりも少ない省電源電力を生成して電装ユニット４１へ供給する。
【００８２】
なお、完全省電力モードのときには、第１ＰＳＵ４２は、第１リレー５がＯＦＦ状態となるため、電力生成を行うことがない。
【００８３】
復帰スイッチ（復帰検出手段）４９ａ、４９ｂは、例えば、画像処理装置の操作表示部等に設けられている省電力復帰スイッチ、原稿台への原稿のセットの有無を検出する原稿スイッチ等である。復帰スイッチ４９ａ、４９ｂは、給電回路４７から電源電力が供給され、スイッチＯＮ状態を検出すると、復帰信号を電装ユニット４１のモード切替・復帰検出回路４１ａへ出力する。
【００８４】
モード切替・復帰検出回路４１ａは、復帰スイッチＳＷ４９ａ、４９ｂから復帰信号が入力されると、省電力モード（完全省電力モード、簡易省電力モード）から通常電力モードへの復帰処理を行う。
【００８５】
すなわち、本実施例の画像処理装置４０は、第１実施例と同様のスイッチ状態制御部２１を備えているとともに、電源電力供給手段としての第１ＰＳＵ４２、外部電源スイッチ手段としての第１リレー５、可動部材としての省電力復帰部１２、発電手段としての発電部１１、スイッチ状態制御部２１、創電部４３、蓄電部４４、電池部４５、切替回路４６、給電回路４７、電圧検出部４８、復帰スイッチ４９ａ、４９ｂ及びモード切替・復帰検出回路４１ａを有する電源制御部（電源制御装置）５０を備えている。
【００８６】
したがって、本実施例の画像処理装置４０は、電圧検出部４８が検出する給電回路４７からの給電電力がモード切替電圧よりも高い電圧値であると、電装ユニット４１のモード切替・復帰検出回路４１ａが、省電力モードを簡易省電力モードに設定する。モード切替・復帰検出回路４１ａは、省電力モードを簡易省電力モードに設定すると、省電力モードへ移行する際に、簡易省電力モード信号を第１ＰＳＵ４２へ出力し、また、ＯＦＦ信号を第１ＰＳＵ４２及び第１リレーＯＮ維持回路１０へは出力しない。すなわち、画像処理装置３０は、簡易省電力モードでは、第１リレー５を常時ＯＮの状態として、外部電源電力を第１ＰＳＵ４２に供給する。
【００８７】
そして、第１ＰＳＵ４２は、第１リレー５を介して外部電源電力が供給されていても、モード切替・復帰検出回路４１ａから簡易省電力モード信号が入力されて簡易省電力モードへ移行すると、モード切替・復帰検出回路４１ａ及び簡易省電力モードから通常モードへ速やかに復帰するのに必要な回路へのみ内部電源電力を生成して供給する。
【００８８】
そして、電源制御部５０は、この簡易省電力モードにおいては、復帰要因を検出する復帰スイッチ４９ａ、４９ｂへは、電圧検出部４８が、検出する給電回路４７の給電電力の電圧値が切替電圧まで低下するまでは、創電部４３が創電して蓄電部４４に蓄電された電力を供給する。電圧検出部４８は、蓄電部４４からの給電電力の電圧値が切替電圧まで低下すると、切替回路４６に、蓄電部４４から電池部４５に電源供給元を切り替えさせる。
【００８９】
さらに、電圧検出部４８は、電池部４５からの供給電力による給電回路４７の給電電圧が該切替電圧まで低下すると、切替回路４６に電池部４５から蓄電部４４に電源供給元を切り替えさせる。
【００９０】
そして、この簡易省電力モードにおいて、給電回路４７から給電されている復帰スイッチ４９ａ、４９ｂがＯＮすると、復帰信号をモード切替・復帰検出回路４１ａに出力する。
【００９１】
モード切替・復帰検出回路４１ａは、復帰信号が入力されると、第１ＰＳＵ４２への簡易省電力モード信号の出力を停止する。第１ＰＳＵ４２は、簡易省電力モード信号の入力が停止されると、第１リレー５を介して供給されている外部電源電力から通常モードで必要とする内部電源電力を生成して、電装ユニット４１へ供給し、通常モードへ復帰する。
【００９２】
そして、モード切替・復帰検出回路４１ａは、電装ユニット４１は、電圧検出部４８による電源供給元の切り替えを行なっても、給電回路４７からの給電電力の電圧値がモード切替電圧に低下すると、第１ＰＳＵ４２への簡易省電力モード信号の出力を停止するとともに、ＯＦＦ信号を第１ＰＳＵ４２及び第１リレーＯＮ維持信号１０へ出力する。
【００９３】
電装ユニット４１がＯＦＦ信号を出力することで、第１ＰＳＵ４２が上記遅延時間の後に、電源供給を停止し、この遅延時間の間に、第１リレー５がＯＦＦして、完全省電力モードへ移行する。
【００９４】
このように、本実施例の画像処理装置４０は、第１ＰＳＵ４２が、外部電源電力から内部電源電力を生成する通常電力モードと、該通常電力モード時の該内部電源電力よりも少ない省電源電力を生成する簡易省電力モード（省電力モード）と、を備え、電源制御部５０が、電源電力を創出する創電部（電力創出手段）４３と、創電部４３の創出した創出電力を蓄積する蓄電部（電力蓄積手段）４４と、蓄電部４４からの創出電力の電圧値を検出する電圧検出部（電圧検出手段）４８と、電圧検出部４８の検出する電圧値が所定のモード切替電圧を下回ると、スイッチ状態制御部２１に第１ＰＳＵ４２への外部電源電力の供給を停止させ、電圧検出部４８の検出する電圧値が該モード切替電圧以上であると、前記省電源電力または蓄電部４４からの創出電力を動作電源電力として動作して、スイッチ状態制御部２１に第１ＰＳＵ４２への外部電源電力の供給を維持させるとともに、第１ＰＳＵ４２を前記省電力モードで動作させる復帰検出回路（モード制御手段）４１ａと、蓄電部４４からの前記創出電力を動作電源電力として動作して、通常電源モードへの移行を要求する復帰要求を検出する復帰スイッチ（復帰検出手段）４９ａ、４９ｂと、前記省電源電力または前記創出電力を動作電源電力として動作して、復帰スイッチ４９ａ、４９ｂが復帰要求を検出すると、スイッチ状態制御部２１に外部電源電力の第１ＰＳＵ４２への供給を維持させるとともに、該第１ＰＳＵ４２を前記通常電源電力モードで動作させる復帰検出回路（復帰制御手段）４１ａと、を備えている。
【００９５】
したがって、完全に消費電力が０[Ｗ]の完全省電力モードと、太陽電池等の創電部４３の創出する電力を利用して、外部電源電力の消費電力をより一層削減しつつ省電力復帰部１２以外の復帰要因によっても速やかに通常電力モードへ復帰する簡易省電力モードとを実現することができる。その結果、利用性を向上させつつ、省電力モードでのより一層の供給電力の削減と復帰時に必要な電力のより一層削減を図ることができる。
【００９６】
また、本実施例の画像処理装置１は、電源制御部５０が、電池電源電力を供給する（電池部（電池手段）４５と、前記蓄電部４４と電池部４５とを選択的に切り替えて前記動作電源電力として出力する切替回路（切替手段）４８と、を備え、電圧検出部４８が、検出する創出電力の電圧値が所定の切替電圧を下回ると、切替回路４６に蓄電部４４から電池部４５へ切り替えさせている。
【００９７】
したがって、完全に消費電力が０[Ｗ]の完全省電力モードと、太陽電池等の創電部４３の創出する電力と電池部４５の電力を切り替えて利用して、外部電源電力の消費電力をより一層削減しつつ省電力復帰部１２以外の復帰要因によっても速やかに通常電力モードへ復帰する簡易省電力モードとを実現することができる。その結果、利用性を向上させつつ、省電力モードでのより一層の供給電力の削減と復帰時に必要な電力のより一層削減を図ることができる。
【実施例４】
【００９８】
図６は、本発明の電源制御装置、画像処理装置及び電源制御方法の第４実施例を適用した画像処理装置６０の要部回路構成図である。
【００９９】
なお、本実施例は、上記第３実施例の画像処理装置４０と同様の画像処理装置に適用したものであり、本実施例の説明においては、第３実施例の画像処理装置４０と同様の構成部分には、同一の符号を付して、その説明を省略または簡略化する。
【０１００】
図６において、画像処理装置６０は、電圧検出部６１、切替回路６２及びＰＤ（Powered device）６３等を備えているとともに、第３実施例及び第４実施例と同様の電装ユニット４１、第１ＰＳＵ４２、創電部４３、蓄電部４４、電池部４５、切替回路４６、給電回路４７、電圧検出部４８、復帰スイッチ４９ａ、４９ｂ、第２ＰＳＵ４、第１リレー５、第２リレー６、第１リレー駆動回路７、第２リレー駆動回路８、ＯＲ回路９、第１リレーＯＮ維持回路１０、発電部１１、省電力復帰部１２及び電源プラグ１３等を備えている。
【０１０１】
切替回路６２は、電圧検出部６１によって切替動作して、給電回路４７への給電元を、切替回路４６とＰＤ６３とに切り替える。
【０１０２】
ＰＤ６３は、イーサネット（登録商標）の配線によってハブ（ＨＵＢ）等の給電側機器（ＰＳＤ）からの給電を受けて、切替回路６２へ給電電力を供給する。すなわち、ＰＤ６３は、給電側機器の接続されているイーサネットの配線に接続されていると、切替回路６２に給電電力を供給することができる。
【０１０３】
電圧検出部６１は、給電回路４７の供給する電源電力の電圧を検出し、通常、切替回路４６を蓄電部４４からの電力を選択させて、切替回路６２へ供給させ、切替回路６２を切替回路４６からの電力を選択させて、給電回路４７へ供給させる。電圧検出部６１は、上記第３実施例の場合と同様に、給電回路４７の給電電力の電圧が上記切替電圧を下回ると、切替回路４６に蓄電部４４から電池部４５へ給電元を切り替えさせる。電圧検出部６１は、給電回路４７の供給電力の電圧が、該切替電圧よりも低い第２切り替え電圧を下回ると、切替回路６２を切替動作させて、給電元を、切替回路４６からＰＤ６３に切り替えさせる。
【０１０４】
電装ユニット４１は、第３実施例の場合と同様に、省電力モードへ移行する際に、モード切替・復帰検出回路４１ａから簡易省電力モード信号を第１ＰＳＵ４２に出力させる。
【０１０５】
なお、本実施例では、電圧検出部６１は、電装ユニット４１へ検出電圧を出力していない。すなわち、ＰＤ６３がイーサネットによって給電側機器に接続されている限り、蓄電部４４及び電池部４５の電源電力が不十分な状態となっても、ＰＤ６３からの給電によって給電回路４７からの給電が速やかな省電力復帰を行うのに必要な電力を賄うことができるため、電圧検出部６１は、電装ユニット４１へ検出電圧を出力していない。なお、電圧検出部６１は、ＰＤ６３が給電側機器に接続されているイーサネットに接続されていない場合を考慮して、電装ユニット４１へ検出電圧を出力して、上記実施例３の場合と同様に処理してもよい。
【０１０６】
すなわち、本実施例の画像処理装置６０は、第１実施例と同様のスイッチ状態制御部２１を備えているとともに、電源電力供給手段としての第１ＰＳＵ４２、外部電源スイッチ手段としての第１リレー５、可動部材としての省電力復帰部１２、発電手段としての発電部１１、スイッチ状態制御部２１、創電部４３、蓄電部４４、電池部４５、切替回路４６、電圧検出部６１、切替回路６２、ＰＤ６３、給電回路４７、復帰スイッチ４９ａ、４９ｂ及びモード切替・復帰検出回路４１ａを有する電源制御部（電源制御装置）６４を備えている。
【０１０７】
したがって、本実施例の画像処理装置６０は、電源電力モードが省電力モードへ移行する場合、電装ユニット４１が、第１ＰＳＵ４２に簡易省電力モード信号を出力するとともに、省電力モードに移行しても、ＯＦＦ信号を第１ＰＳＵ４２及び第１リレーＯＮ維持回路１０へは出力しない。すなわち、画像処理装置６０は、簡易省電力モードでは、第１リレー５を常時ＯＮの状態として、外部電源電力を第１ＰＳＵ４２に供給する。
【０１０８】
そして、第１ＰＳＵ４２は、第１リレー５を介して外部電源電力が供給されていても、電装ユニット４１から簡易省電力モード信号が入力されて簡易省電力モードへ移行すると、モード切替・復帰検出回路４１ａ及び簡易省電力モードから通常モードへ速やかに復帰するのに必要な回路へのみ内部電源電力を生成して供給する。
【０１０９】
そして、この簡易省電力モードにおいては、電圧検出部６１は、切替電圧まで給電回路４７の給電電力の電圧値が低下するまでは、創電部４３が創電して蓄電部４４に蓄電された電力を、切替回路４６に切替回路６２を介して給電回路４７に供給させる。給電回路４７は、この電力から給電電力を生成して復帰スイッチ４９ａ、４９ｂへ供給する。
【０１１０】
電圧検出部６１は、蓄電部４４からの給電電力の電圧値が切替電圧まで低下すると、切替回路４６に、蓄電部４４から電池部４５に電源供給元を切り替えさせる。
【０１１１】
さらに、電圧検出部６１は、電池部４５からの供給電力による給電回路４７の給電電圧が第２切替電圧まで低下すると、切替回路６２に給電元を切替回路４６からＰＤ６３に切り替えさせる。
【０１１２】
ＰＤ６３は、イーサネットによって給電側機器に接続されている限り、給電回路４７へ切替回路６２を介して供給する。
【０１１３】
そして、この簡易省電力モードにおいて、給電回路４７から給電されている復帰スイッチ４９ａ、４９ｂがＯＮすると、復帰信号をモード切替・復帰検出回路４１ａに出力する。
【０１１４】
モード切替・復帰検出回路４１ａは、復帰信号が入力されると、第１ＰＳＵ４２への簡易省電力モード信号の出力を停止する。第１ＰＳＵ４２は、簡易省電力モード信号の入力が停止されると、第１リレー５を介して供給されている外部電源電力から通常モードで必要とする内部電源電力を生成して、電装ユニット４１へ供給し、通常モードへ復帰する。
【０１１５】
したがって、蓄電部４４及び電池部４５の電源電力が不足しても、ＰＤ６３から給電することができ、画像処理装置６０本体の消費電力を、削減しつつ、速やかに省電力モードから通常電力モードへ復帰することができる。
【０１１６】
なお、上記各実施例において、電源プラグ１３と第１リレー５及び第２ＰＳＵ４を接続する電源ラインに、ユーザの操作に応じて該電源ラインの接続／切り離しを行う電源スイッチを設けてもよい。
【０１１７】
このような電源スイッチを設けると、電源プラグ１３をコンセントから抜くことなく、該電源スイッチをＯＦＦすることで、画像処理装置１、３０、４０、５０の該電源スイッチ以外のいずれのスイッチや可動部等を操作しても通常モードへは復帰しない状態とすることができる。
【０１１８】
その結果、ユーザの意図によって電源スイッチをＯＦＦにすることで、画像処理装置１、３０、４０、５０の消費電力をより一層削減することができる。
【０１１９】
また、第２実施例のモード切替・復帰検出回路３１ａ及び第３実施例及び第４実施例のモード切替・復帰検出回路４１ａは、上記説明では、電装ユニット４１の一部に組み込まれて、省電力モード時に、第１ＰＳＵ４２の生成する省電源電力で動作しているが、給電回路４７からの電源電力によって動作してもよい。
【０１２０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１２１】
１  画像処理装置
２  電装ユニット
３  第１ＰＳＵ（電源電力供給手段）
４  第２ＰＳＵ（第２電源電力供給手段）
５  第１リレー（外部電源スイッチ手段）
６  第２リレー（第２外部電源スイッチ手段）
７  第１リレー駆動回路（スイッチ駆動手段）
８  第２リレー駆動回路（第２スイッチ駆動手段）
９  ＯＲ回路
１０  第１リレーＯＮ維持回路（給電維持手段）
１１  発電部（発電手段）
１１ａ  コイル
１１ｂ  アーム（強誘電体）
１１ｃ  ブリッジ整流回路
１１ｄ  コンデンサ
１２  省電力復帰部（可動部材）
１３  電源プラグ
２０  電源制御部（電源制御装置）
２１  スイッチ状態制御部（スイッチ状態制御手段）
３０  画像処理装置
３１  電装ユニット
３１ａ  モード切替・復帰検出回路（モード制御手段、復帰制御手段）
３２  第１ＰＳＵ（電源電力供給手段）
３３  復帰スイッチ（電源電力供給手段）
３４  モード設定スイッチ（モード設定手段）
４０  画像処理装置
４１  電装ユニット
４１ａ  モード切替・復帰検出回路（モード制御手段、復帰制御手段）
４２  第１ＰＳＵ（電源電力供給手段）
４３  創電部（電力創出手段）
４４  蓄電部（電力蓄積手段）
４５  電池部（電池手段）
４６  切替回路（切替手段）
４７  給電回路
４８  電圧検出部（電圧検出手段）
４９ａ、４９ｂ  復帰スイッチ（復帰検出手段）
５０  電源制御部（電源制御装置）
６０  画像処理装置
６１  電圧検出部（電圧検出手段）
６２  切替回路
６３  ＰＤ
６４  電源制御部（電源制御装置）
【先行技術文献】
【特許文献】
【０１２２】
【特許文献１】特開２００７−１２１３６１号公報
【図１】
2014115751.tif 000003
【図２】
2014115751.tif 000004
【図３】
2014115751.tif 000005
【図４】
2014115751.tif 000006
【図５】
2014115751.tif 000007
【図６】
2014115751.tif 000008